【事件の表示】
　特許第３３８３５８６号「ポリオレフィン製フィルム又はシート」の請求項１、２に係る特許に対する特許異議の申立てについて、次のとおり決定する。
【結　論】
　訂正を認める。
　特許第３３８３５８６号の請求項１ないし２に係る特許を維持する。
【理　由】
I．手続の経緯
　特許第３３８３５８６号の請求項１、２に係る発明は、平成１０年６月２５日に特許出願され、平成１４年１２月２０日にその発明について特許権の設定登録がなされ、その後、シーアイ化成株式会社より、請求項１、２に係る発明の特許に対し特許異議の申立がなされ、取消の理由が通知され、その指定期間内である平成１６年１月２９日に特許異議意見書とともに訂正請求書が提出されたものである。
II．訂正請求について
１．訂正の内容
　訂正事項ａ．
　請求項１に記載の「ポリオレフィン組成物が、帯電防止剤としてグリセロールとオレイン酸のエステル及びグリセロールとステアリン酸のエステルを含有し、」を「ポリオレフィン組成物が、印刷を施そうとする面を構成する層に含まれる帯電防止剤としてグリセロールとオレイン酸のエステル及びグリセロールとステアリン酸のエステルを含有し、」と訂正する。
　訂正事項ｂ．
　明細書段落【０００８】に記載の「上記も課題を解決するためになされた本発明のポリオレフィン製フィルム又はシートは、帯電防止剤を含有するポリオレフィン組成物を成形して得られ、ポリオレフィン組成物が、帯電防止剤としてグリセロールとオレイン酸のエステル（以下、「グリセロールオレエート」と記すことがある。）及びグリセロールとステアリン酸のエステル（以下、「グリセロールステアレート」と記すことがある。）を含有し、全帯電防止剤の含有量が０．０５〜２．０重量％であることを特徴とする。」を「上記の課題を解決するためになされた本発明のポリオレフィン製フィルム又はシートは、帯電防止剤を含有するポリオレフィン組成物を形成して得られ、ポリオレフィン組成物が、印刷を施そうとする面を構成する層に含まれる帯電防止剤としてグリセロールとオレイン酸をエステル（以下、「グリセロールオレエート」と記さすことがある。）及びグリセロールとステアリン酸のエステル（以下、「グリセロールステアレート」記すことがある。）を含有し、全帯電防止剤の含有量が０．０５〜２．０重量％であることを特徴とする。」と訂正する。
２．訂正の適否について
　上記訂正事項ａは、特許請求の範囲請求項１に関する訂正であり、明細書の段落【００１７】の記載に基づいて、帯電防止剤が含まれる層を限定するものであるから、特許請求の範囲の減縮を目的とする訂正に該当する。
　上記訂正事項ｂは、特許請求の範囲請求項１の記載の訂正により生じた発明の詳細な説明との整合を図るものであり、明りょうでない記載の釈明を目的とする訂正に該当する。
　そして、上記各訂正事項は、願書に添付した明細書に記載された事項の範囲内の訂正であり、実質上特許請求の範囲を拡張し、変更するものではない。
３．むすび
　したがって、上記訂正は、特許法第１２０条の４第２項及び同条第３項において準用する特許法第１２６条第２項及び第３項の規定に適合するので、当該訂正を認める。
III．訂正後の請求項１、２に係る発明
　訂正後の請求項１、２に係る発明は、訂正明細書の特許請求の範囲の請求項１、２に記載された、次のとおりのものである。
「【請求項１】帯電防止剤を含有するポリオレフィン組成物を成形して得られるポリオレフィン製フィルム又はシートであって、
　ポリオレフィン組成物が、印刷を施そうとする面を構成する層に含まれる帯電防止剤としてグリセロールとオレイン酸のエステル及びグリセロールとステアリン酸のエステルを含有し、全帯電防止剤の含有量が０．０５〜２．０重量％であることを特徴とするポリオレフィン製フィルム又はシート。
【請求項２】ポリオレフィン組成物中に含まれるグリセロールとオレイン酸のエステルの含有量とグリセロールとステアリン酸のエステルの含有量の割合が、重量比で２０：８０〜８０：２０であることを特徴とする請求項１記載のポリオレフィン製フィルム又はシート。」
IV．特許異議申立について
１．特許異議申立の概要
  特許異議申立人　シーアイ化成株式会社は、甲第１号証（特開平１０−３４号公報）を提出して、訂正前の請求項１、２に係る発明は、前記甲第１号証に記載された発明に基づいて当業者が容易に発明をすることができたものであるから、訂正前の請求項１、２に係る発明の特許は、特許法第２９条第２項の規定に違反してされたものであるから、取り消されるべきものである旨主張する。
２．特許異議申立についての判断
（１）甲第１号証記載の事項
　甲第１号証として提出された、特開平１０−３４号公報には、以下の記載がされている。
「【請求項１】オレフィン系樹脂１００重量部に対し、多価アルコールと炭素数１４〜２２の飽和脂肪酸との部分エステル化合物１〜４重量部および多価アルコールとオレイン酸との部分エステル化合物０．１〜３重量部とからなる防曇剤を配合した組成物からなる基材層の片面または両面にオレフィン系樹脂からなる被覆層を設けることを特徴とする農業用オレフィン系樹脂積層フィルム。
【請求項３】多価アルコールとオレイン酸との部分エステル化合物がグリセリンモノオレート、ジグリセリンモノオレートまたはソルビタンモノオレートであることを特徴とする請求項１記載の農業用オレフィン系樹脂積層フィルム。」（特許請求の範囲請求項１、３）
「【産業上の利用分野】本発明は、農業用オレフィン系樹脂積層フィルムに関するものである。更に詳しくは、透明性および防曇持続性の良好な農業用オレフィン系樹脂積層フィルムに関するものである。」（段落【０００１】）
「農業用オレフィン系樹脂フィルムに使用されている防曇剤としては、多価アルコールと炭素数１４〜２２の飽和脂肪酸との部分エステル化合物からなる防曇剤が従来より使用されている。これらの防曇剤はオレフィン系樹脂との相溶性が悪く、防曇効果が早期に失われてしまうため、シリカやハイドロタルサイト等の無機物の吸着性を利用し、その防曇持続性を維持するものもあるが実際上の効果は少ないものであった。」（段落【０００４】）
「【発明が解決しようとする課題】本発明は、農業用オレフィン系樹脂積層フィルムにおいて、防曇性の長期持続が改良された農業用フィルムを提供することを目的となされたものである。」（段落【０００５】）
「本発明において防曇剤を構成する多価アルコールとしては、・・・グリセリン・・・も挙げることができる。」（段落【０００８】）
実施例２には、防曇剤として、ソルビタンモノパルミテート、グリセリンモノステアレート、ジグリセリンモノオレートを含有する層を中間層とするオレフィン系樹脂積層フィルムが記載されている。
（２）判断
 (i)訂正後の請求項１に係る発明について
　訂正後の請求項１に係る発明（以下、「訂正発明１」という。）は、「帯電防止剤を含有するポリオレフィン組成物を成形して得られるポリオレフィン製フィルム又はシートであって、
　ポリオレフィン組成物が、印刷を施そうとする面を構成する層に含まれる帯電防止剤としてグリセロールとオレイン酸のエステル及びグリセロールとステアリン酸のエステルを含有し、全帯電防止剤の含有量が０．０５〜２．０重量％であることを特徴とするポリオレフィン製フィルム又はシート」を構成とするものである。
　一方、甲第１号証には、透明性および防曇持続性の良好な農業用オレフィン系樹脂積層フィルムであって、オレフィン系樹脂に、グリセリン等の多価アルコールとステアリン酸等の炭素数１４〜２２の飽和脂肪酸との部分エステル化合物およびグリセリン等の多価アルコールとオレイン酸との部分エステル化合物とからなる防曇剤を配合した組成物からなる層を基材層とし、基材層の片面または両面にオレフィン系樹脂からなる被覆層を設けた農業用オレフィン系樹脂積層フィルムが記載されている。
　しかしながら、甲第１号証に記載されている発明は、農業用オレフィン系樹脂積層フィルムにおいて、透明性、防曇持続性および耐ベタツキ性に優れ、ハウス栽培用やトンネル栽培用の被覆資材に好適な積層フィルムを得ることを目的とするものであり、訂正発明１が目的とするところは、充分な帯電防止効果は保持しながら、印刷を施すときのインキ転写性、インキ密着性をも改善したポリオレフィン製フィルムを提供することを目的とするものであるから、両者は発明の目的を全く異にするものである。
　また、甲第１号証に記載されている発明には、グリセロールとオレイン酸のエステル及びグリセロールとステアリン酸のエステルを含有する帯電防止剤が、「印刷を施そうとする面を構成する層」に含まれるものであるという訂正発明１の構成については何等記載も示唆もされていない。
　そして、甲第１号証の実施例２にはグリセリンモノステアレート、グリセリンモノパルミテート、ジグリセリンモノオレートからなる防曇剤を含むオレフィン系樹脂層を中間層とする三層積層フィルムが記載されているが、ここで多価アルコールとオレイン酸との部分エステル化合物として示されているジグリセリンモノオレートとは、グリセリン骨格を２個有する化合物にオレイン酸が１つエステル結合した構造の化合物である。
　これに対し、訂正発明１で帯電防止剤としてグリセロールとステアリン酸のエステルとともに含有されるグリセロールとオレイン酸のエステルとは、グリセリン骨格を１個のみ有する化合物にオレイン酸がエステル結合した構造の化合物（グリセロールオレエート）であるから、両者はそもそも化合物の構造が異なり、甲第１号証実施例２の中間層に含まれるとされているジグリセリンモノオレートは、訂正発明１に帯電防止剤として記載されているグリセロールとオレイン酸のエステル（グリセロールオレエート）とはいえないものである。
　また、甲第１号証の実施例２に記載の積層フィルムは三層の共押出インフレーション成形で製造される積層フィルムであり、ここでグリセリンモノステアレート、グリセリンモノパルミテート、ジグリセリンモノオレートからなる防曇剤を含むオレフィン系樹脂層は中間層として共押出成形されるものであるから、すでに共押出成形（積層成形）されている該中間層に印刷を施すことができるとは常識的に考えられない。
　そして、訂正発明１は、上記の構成をとることにより段落【００２９】に記載されている効果を奏するものである。
　そうすると、甲第１号証に、オレフィン系樹脂に、グリセリン等の多価アルコールとステアリン酸等の炭素数１４〜２２の飽和脂肪酸との部分エステル化合物およびグリセリン等の多価アルコールとオレイン酸との部分エステル化合物とからなる防曇剤を配合した組成物からなる層を基材層として有する農業用オレフィン系樹脂積層フィルムについて記載されているとしても、該オレフィン系樹脂積層フィルムが「充分な帯電防止効果は保持しながら、印刷を施すときのインキ転写性、インキ密着性をも改善することを目的として、印刷を施そうとする面を構成する層に上記帯電防止剤を含有させる」という構成については記載も示唆もされているとはいえないから、訂正発明１が甲第１号証に記載された発明と同一であるということはできないし、訂正発明１とは発明の目的（解決しようとする課題）も異なる甲第１号証に記載された発明を検討しても、訂正発明１の上記構成は、甲第１号証に記載された発明に基づいて当業者が容易に発明をすることができた、とすることもできない。
 (ii)訂正後の請求項２に係る発明について
　訂正後の請求項２に係る発明（以下、「訂正発明２」という。）は、訂正発明１のポリオレフィン製フィルム又はシートにおいて、「ポリオレフィン組成物中に含まれるグリセロールとオレイン酸のエステルの含有量とグリセロールとステアリン酸のエステルの含有量の割合が、重量比で２０：８０〜８０：２０である」とするものであるから、訂正発明１が甲第１号証に記載された発明であるとはいえず、甲第１号証に記載された発明に基づいて当業者が容易に発明をすることができたものともいえない以上、訂正発明１を引用する訂正発明２も、甲第１号証に記載された発明であるとはいえないし、甲第１号証に記載された発明に基づいて当業者が容易に発明をすることができたものともいえない。
V．むすび
　以上のとおりであるから、特許異議申立の理由及び証拠によっては、訂正発明１、２の特許を取り消すことはできない。
　また、他に訂正発明１、２の特許を取り消すべき理由を発見しない。
　よって、結論のとおり決定する。
【異議決定日】
平成１６年８月６日（２００４．８．６）
【訂正の要旨】
審決（決定）の【理由】欄参照。
（５４）【発明の名称】
ポリオレフィン製フィルム又はシート
（５７）【特許請求の範囲】
　【請求項１】帯電防止剤を含有するポリオレフィン組成物を成形して得られるポリオレフィン製フィルム又はシートであって、
　ポリオレフィン組成物が、
印刷を施そうとする面を構成する層に含まれる
　【請求項２】ポリオレフィン組成物中に含まれるグリセロールとオレイン酸のエステルの含有量とグリセロールとステアリン酸のエステルの含有量の割合が、重量比で２０：８０〜８０：２０であることを特徴とする請求項１記載のポリオレフィン製フィルム又はシート。
【発明の詳細な説明】
　【０００１】
　【発明の属する技術分野】
　本発明は、ポリオレフィン製のフィルム又はシート（以下、「ポリオレフィン製フィルム・シート」と記すことがある）に関し、詳細には、印刷適性に優れるポリオレフィン製フィルム・シートに関する。
　【０００２】
　【従来の技術】
　従来より、ポリオレフィン製フィルム・シートは、ファイル、ボックスファイル、バインダー等の表装材、ビデオテープや化粧品等の収納ケース、デスクマット等の素材として広く使用されている。
　また、上記のような用途に使用されるポリオレフィン製フィルム・シートとしては、表面の装飾を目的として、或いは、表面の耐傷性や耐オレイン酸性等を改善することを目的として、その表面に印刷が施されたものも多い。
　【０００３】
　【発明が解決しようとする課題】
　ところで、上記のポリオレフィン製フィルム・シートを得る組成物中には、通常、帯電防止剤や酸化防止剤が含まれている。
　特に、ポリオレフィン製フィルム・シートを製造する際には、市販のペレット化されたポリオレフィンを使用することが多いが、フィルム・シートに成形するときは勿論のこと、ペレット化するときにも帯電したり酸化したりすることがないように、ペレット化する段階で、ポリオレフィンに酸化防止剤や帯電防止剤を添加しておくことが一般に行なわれているのである。
　【０００４】
　上記の帯電防止剤としては、一般に、化１に示すようなグリセロール（グリセリン）とステアリン酸のエステルが使用されている。
　このグリセロールとステアリン酸のエステルは、通常、化１（ａ）、（ｂ）に示すようなグリセロールモノステアレート、化１（ｃ）、（ｄ）に示すようなグリセロールジステアレート、化１（ｅ）に示すようなグリセロールトリステアレートの混合物である。
　【化１】
　【０００５】
　しかしながら、上記の一般的に使用されているグリセロールとステアリン酸のエステル（以下、「グリセロールステアレート」と記すことがある）を添加した場合には、このグリセロールステアレートが、フィルム・シートの表面にブルーム（グリセロールステアレートがフィルム・シートの表面に滲み出て、それが析出する現象）するため、見栄えを悪化させるのみならず、前記したような印刷を施すときのインキ転写性、インキ密着性等を悪化させるという問題もあった。
　特に、フィルム・シートを製造してから長時間（一週間程度）経過後では、上記のようなブルームにより、実質的に印刷不可能の状態となってしまうため、印刷前のフィルム・シートを作り置きしておくことができなかった。すなわち、このようなフィルム・シートを製造するときには、少量ずつ製造せざるを得ず、製造効率が良好であるとは到底言えないのが実態であった。
　【０００６】
　一方、このグリセロールステアレートの添加量をブルームしない程度の量に抑えることも考えられるが、この種の帯電防止剤は、フィルム・シートの表面に滲み出て来なければその効果を発揮し得ないものであるため、そのような添加量に抑えたのでは、本来の帯電防止効果が充分に発現しなくなってしまう。
　【０００７】
　本発明は、上記のような課題を解決するためになされたものであり、充分な帯電防止効果は保持しながら、印刷を施すときのインキ転写性、インキ密着性をも改善したポリオレフィン製フィルム・シートを提供するものである。
　【０００８】
　【課題を解決するための手段】
　上記
の
印刷を施そうとする面を構成する層に含まれる
　【０００９】
　上記のポリオレフィンとしては、従来より上記したような用途で使用されているもの、例えば、低密度ポリエチレン、線状低密度ポリエチレン、超低密度ポリエチレン、中・高密度ポリエチレン等のポリエチレン；エチレン−酢酸ビニル共重合体、エチレン−（メタ）アクリル酸エステル共重合体、エチレン−α−オレフィン共重合体等のエチレン系共重合体；ホモポリプロピレン、ランダムポリプロピレン、ブロックポリプロピレン、ブロック−ランダムポリプロピレン等のポリプロピレン；ポリブテン、ブテン−α−オレフィン共重合体等のブテン系重合体；等から選ばれる一種のポリオレフィン或いは二種以上を混合したポリオレフィン等が挙げられる。
　また、上記のポリオレフィンに、エチレン−プロピレンゴムやエチレン−ブテンゴム等のオレフィン系ゴム、水素添加スチレン−ブタジエンゴムや水素添加スチレン−イソプレンゴム等の水素添加ゴム、等を混合してもよい。
　【００１０】
　本発明のポリオレフィン製フィルム・シートは、上記したようなポリオレフィンに、帯電防止剤として、グリセロールオレエート及びグリセロールステアレートを含有させたポリオレフィン組成物を成形して得られるものである。
　【００１１】
　グリセロールオレエートとしては、化２（ａ）、（ｂ）に示すようなグリセロールモノオレエート、化２（ｃ）、（ｄ）に示すようなグリセロールジオレエート、化２（ｅ）に示すようなグリセロールトリオレエートから一種或いは二種以上を混合したものが使用でき、工業的に製造され、市販されているグリセロールオレエートは、通常、化２（ａ）〜（ｅ）に示すものから選ばれる二種以上の混合物である。
　【化２】
　【００１２】
　一方、グリセロールステアレートとしては、化１（ａ）〜（ｅ）に示すものから選ばれる一種或いは二種以上を混合したものが使用でき、工業的に製造され、市販されているグリセロールステアレートは、通常、化１（ａ）〜（ｅ）に示すものから選ばれる二種以上の混合物である。
　【００１３】
　このグリセロールオレエート添加量とグリセロールステアレートの添加量との割合は、２０：８０〜８０：２０、特に４０：６０〜７０：３０とするのが望ましい。
　グリセロールオレエートの添加割合が低すぎると、印刷時のインキ転写性やインキ密着性の改善が十分に発揮せず、グリセロールオレエートの添加割合高すぎると、得られるフィルム・シートがブロッキングし易くなるといった問題が懸念される。
　【００１４】
　また、本発明のポリオレフィン製フィルム・シートを得るためのポリオレフィン組成物中には、インキの転写性、インキの密着性、耐ブロッキング性等を損なわない範囲であれば、上記以外の帯電防止剤を併用することも可能である。
　併用可能な帯電防止剤として具体的には、アルキルアミン塩、アルキル第四級アンモニウム塩、アルキルイミダゾリン誘導体等のカチオン性帯電防止剤；脂肪酸アミン塩、アルキルリン酸エステル塩、ポリオキシエチレンアルキルリン酸エステル塩、アルキル硫酸エステル塩、ポリオキシエチレンアルキル硫酸エステル塩等のアニオン性帯電防止剤；ポリオキシエチレンアルキルエーテル、ポリオキシエチレンアルキルフェノール、ポリオキシエチレンアルキルアミン、ポリオキシエチレンアルキルアミド、脂肪酸ポリエチレングリコールエステル、脂肪酸ソルビタンエステル、ポリオキシエチレン脂肪酸ソルビタンエステル、アルキルポリエチレンイミン、ポリエチレングリコール、上記以外の脂肪酸グリセロールエステル等の非イオン性帯電防止剤；アルキルベタイン型帯電防止剤、アルキルイミダゾリン誘導体、Ｎ−アルキル−β−アラニン型帯電防止剤等の両性帯電防止剤；等から選ばれる一種或いは二種以上が挙げられる。
　【００１５】
　本発明のポリオレフィン製フィルム・シートを得るためのポリオレフィン組成物中に含まれる全帯電防止剤の含有量は、０．０５〜２．０重量％程度とするのが望ましい。
　帯電防止剤の含有量が少なすぎると、帯電防止効果が充分に発現せず、帯電防止剤の添加量が多すぎると、インキの転写性やインキの密着性を損なう等の問題が懸念される。
　【００１６】
　本発明のポリオレフィン製フィルム・シートを得るためのポリオレフィン組成物には、上記の帯電防止剤に加え、酸化防止剤、紫外線吸収剤、ヒンダードアミン系化合物等の光安定剤、滑剤、ブロッキング防止剤、無機充填剤、発泡剤、発泡助剤、造核剤、架橋剤、着色剤等の各種添加剤を、必要に応じて添加することができる。
　【００１７】
　上記のポリオレフィン組成物は、カレンダー法、押出法、インフレーション法等の適宜の手段により、フィルム・シートに成形される。
　尚、本発明のポリオレフィン製フィルム・シートは、単層のフィルム・シートに限らず、多層のフィルム・シートとすることもできる。このとき、多層フィルム・シートを構成する全ての層に含まれる帯電防止剤が、上記のグリセロールオレエート及びグリセロールステアレートである必要はなく、少なくとも、印刷を施そうとする面を構成する層に含まれる帯電防止剤が、上記のグリセロールオレエート及びグリセロールステアレートであればよい。但し、ブルームによるフィルム・シートの外観悪化を抑制するためには、少なくとも、多層フィルム・シートの両最外層中に含まれる帯電防止剤が、上記のグリセロールオレエート及びグリセロールステアレートとするのが望ましい。
　【００１８】
　多層のフィルム・シートを得る手段としては、共押出法、共押出インフレーション法等の手段が好適であるが、各層を構成するフィルム・シートを別々に成形し、これらを熱ラミネートや接着剤を用いての接着等によりラミネートして得ることも可能である。
　【００１９】
　更に、本発明のポリレフィン製フィルム・シートは、例えば、織布、編布、不織布等の布帛類；紙類；ポリオレフィン以外の重合体からなるフィルムや、発泡或いは非発泡のシート；等と積層したものであってもよい。
　【００２０】
　以上のような構成からなる本発明のポリオレフィン製フィルム・シートは、製造してから長期間経過した後であっても、印刷を施す際のインキ転写性、インキ密着性に優れるものであり、また、ブロッキングするなどといった問題も生じないものである。
　従って、印刷前のフィルム・シートを作り置きしておくことも可能であり、このようなフィルム・シートを、効率良く製造することができるといった利点もある。
　【００２１】
　また、本発明のポリオレフィン製フィルム・シートは、特にオフセット印刷のロングラン適性、具体的には、オフセット印刷を長時間連続して行なう（ロングランさせる）ことが可能であるという利点がある。
　例えば、帯電防止剤として、ポリオキシエチレンアルキルアミドと上記のグリセロールステアレートとを併用して得たポリオレフィン製フィルム・シートであっても、本発明のポリオレフィン製フィルム・シートと同様、印刷時のインキ転写性やインキ密着性に優れるものであるが、このようなポリオレフィン製フィルム・シートではオフセット印刷を長時間連続して行なうことができない。すなわち、オフセット印刷を行なう場合には、オフセットロール表面を水で湿らせ、所定箇所（インキ付着箇所）以外の箇所では、油性のオフセット印刷用インキがはじかれるようにするのであるが、このようなフィルム・シートにオフセット印刷を行なうと、フィルム・シート表面にブリードした帯電防止剤がオフセットロールに付着し、更に、オフセットロール表面を湿すための水（湿水と呼ばれる）中に溶ける。このような現象が繰り返され、徐々に湿水中の帯電防止剤濃度が高まってくると、上記したような帯電防止剤は、界面活性剤の一種であることから、油性である印刷インキと湿水とがうまく分離しなくなって、実質的に印刷が不可能となってしまうのである。
　一方、本発明のポリオレフィン製フィルム・シートでは、このような現象が生じないので、オフセット印刷を長時間連続して行なうことが可能なのである。
　【００２２】
　本発明のポリオレフィン製フィルム・シートに印刷を施す場合、インキ転写性やインキ密着性を更に向上させるため、必要に応じて、コロナ放電処理やプライマー処理を施すこともできる。
　このコロナ放電処理やプライマー処理は、従前のポリオレフィン製フィルム・シートに施すのと同様にして行なうことができる。
　【００２３】
　また、本発明のポリオレフィン製フィルム・シートには、従前のポリオレフィン製フィルム・シートと同様、表面に梨地や絹目等の微細凹凸模様、或いは他の凹凸模様を形成するためのエンボス加工を施してもよいし、装飾効果を付与するための箔押し等を行なうこともできる。
　【００２４】
　更にまた、本発明のポリオレフィン製フィルム・シートは、従前のポリオレフィン製フィルム・シートと同様、所定形状に打ち抜くと共に所定箇所に折り目線を形成して折り曲げたり、当該折り曲げ箇所等を超音波溶着や接着剤を用いての接着等の手段により固着するなどの二次加工を施すことも勿論可能である。
　【００２５】
　【実施例】
　以下に、具体的な実施例を挙げるが、本発明のポリオレフィン製フィルム・シートは、以下に示す実施例に限定されるものではない。
　【００２６】
　表１に示すような帯電防止剤を含有するランダムポリプロピレン組成物を、押出機のＴダイより押し出し、厚さ０．５ｍｍのポリプロピレンシートＡ〜Ｆを得た。
　得られたポリプロピレンシートＡ〜Ｆについて、製造直後及び製造から六ケ月経過後の、印刷インキ転写性、印刷インキ密着性、ブルームの有無、印刷時の給紙跡発生の有無、ブロッキングの有無、オフセット印刷のロングラン適性を、以下に示す基準にて評価した。
　尚、印刷は通常のオフセット印刷機を用いて行ない、また、印刷に先立ち、被印刷面にコロナ放電処理を行なった。
　【００２７】
＜評価基準＞
（１）印刷インキ転写性（目視による観察）
　　○：印刷インキ転写性が極めて良好（ムラなし）
　　△：印刷インキ転写性が良好（極僅かにムラはあるが、商品化に支障なし）
　　×：印刷適性に劣る（ムラが目立ち商品化不可能）
（２）印刷インキ転写性
　オフセット印刷後、室内に二日間放置してから、印刷面に１ｍｍ間隔で１００個のマス目が形成されるようにカミソリで切り目を入れた。
　次いで、この上に市販の粘着テープを貼り付けてから急速に引き剥がし、剥離しないで残存したマス目数により評価した。
　　○：残存マス目数が１００
　　△：残存マス目数が９５〜９９
　　×：残存マス目数が９５未満
（３）ブルームの有無（目視による観察）
　　○：ブルーム無し
　　△：ブルームはあるが、商品化に支障がない程度
　　×：ブルーム有り
（４）給紙跡発生の有無（目視による観察）
　　○：給紙跡発生せず
　　△：給紙跡は発生したが、商品化に支障がない程度
　　×：給紙跡発生
（５）ブロッキングの有無
　　○：ブロッキングの発生なし
　　△：ややブロッキング気味であるが、容易に剥離できる程度
　　×：ブロッキングが激しく、剥離困難もしくは不可能
（６）オフセット印刷のロングラン適性
　　○：良好（ロングラン可能）
　　△：やや不良（ある程度までならロングラン可能）
　　×：不良（ロングラン不可能）
　【００２８】
　【表１】
　【００２９】
　【発明の効果】
　以上の詳述した通り、本発明のポリオレフィン製フィルム・シートは、製造から長期間経過したものであっても、印刷時のインキ転写性、インキ密着性に優れれると共に、ブルームによる外観低下、ブロッキング等の問題も発生し難いものである。
　また、本発明のポリオレフィン製フィルム・シートは、オフセット印刷を長時間連続して行なうことができるといった利点もある。